(57)【要約】【課題】手扱作業の作業性を向上させた自脱型コンバインを提供する。【解決手段】エンジンＥの動力を、刈取部７に伝達または遮断する刈取クラッチ１０２と、フィードチェーン１８に伝達または遮断するフィードチェーンクラッチ１０８と、脱穀部５に伝達または遮断する脱穀クラッチ８５とを車両に備え、車両には、フィードチェーン１８および脱穀クラッチ８５に連係する手扱用操作部材１１１を設け、手扱作業時には、車両の車速を変速制御する変速機構をニュートラルにして、刈取クラッチ１０２と、フィードチェーンクラッチ１０８と、脱穀クラッチ８５とを遮断するとともに、手扱用操作部材１１１を操作すると、フィードチェーン１８を駆動および脱穀クラッチ８５を接続する。【選択図】図７
2014090679.tif 000002
【特許請求の範囲】
【請求項１】
エンジンの動力を、
刈取部に伝達または遮断する刈取クラッチと、
フィードチェーンに伝達または遮断するフィードチェーンクラッチと、
脱穀部に伝達または遮断する脱穀クラッチと
を車両に備えた自脱型コンバインにおいて、
前記車両には、前記フィードチェーンおよび前記脱穀クラッチに連係する手扱用操作部材を設け、
手扱作業時には、前記車両の車速を変速制御する変速機構をニュートラルにして、前記刈取クラッチと、前記フィードチェーンクラッチと、前記脱穀クラッチとを遮断するとともに、前記手扱用操作部材を操作すると、前記フィードチェーンを駆動および前記脱穀クラッチを接続することを特徴とする、自脱型コンバイン。
【請求項２】
前記フィードチェーンは、アクチュエータに接続し、前記手扱用操作部材により前記アクチュエータを制御して、前記フィードチェーンの搬送速度を可変可能としたことを特徴とする、請求項１に記載の自脱型コンバイン。
【請求項３】
前記手扱用操作部材は、ダイヤル調節式であることを特徴とする、請求項１または２に記載の自脱型コンバイン。
【請求項４】
前記手扱用操作部材は、ペダル調節式であることを特徴とする、請求項１または２に記載の自脱型コンバイン。
【発明の詳細な説明】
【技術分野】
【０００１】
本発明は、エンジンの動力を刈取部に伝達または遮断する刈取クラッチと、フィード
チェーンに伝達または遮断するフィードチェーンクラッチと、脱穀部に伝達または遮断する脱穀クラッチとを車両に備えた自脱型コンバインに関し、より詳細には、車両にフィードチェーンおよび脱穀クラッチに連係する手扱用操作部材を設け、手扱作業時には、車両の車速を変速制御する変速機構をニュートラルにして、刈取クラッチと、フィードチェーンクラッチと、脱穀クラッチとを遮断するとともに、手扱用操作部材を操作すると、フィードチェーンを駆動および脱穀クラッチを接続する自脱型コンバインに関する。
【背景技術】
【０００２】
自脱型コンバインには、圃場内で穀稈の収穫作業を行う際、例えば圃場内の畦際に植
立している穀稈を刈取ることができず、手作業で穀稈を刈り取る場合があり、刈り取った穀稈をコンバインの脱穀部に向けて手作業で投入し、脱穀処理を行う作業（手扱作業）がある。この手扱作業に関して、例えば特許文献１では、フィードチェーンクラッチの動作を制御する制御手段を設けるとともに、フィードチェーンの駆動状態への切り換えを指令する手動操作式の駆動指令手段を、車体外方側から手動操作可能に設け、制御手段が駆動指令手段による指令に基づいてフィードチェーンクラッチの接続遮断を切換えることで、フィードチェーン近傍での手扱作業準備中にはフィードチェーンを停止状態にできるものがある。
【０００３】
また、特許文献２では、補助搬送装置をフィードチェーンに引渡し可能に設け、この補助搬送装置の近傍に復帰式押ボタンスイッチを設け、その復帰式押ボタンスイッチの操作信号により走行停止状態で補助搬送装置の搬送動作を可能とし、手扱作業で、作業者が搬送異常に対応して修正操作を可能とするものがある。
【先行技術文献】
【特許文献】
【０００４】
【特許文献１】特開２００３−１０２２３８号公報
【特許文献２】特開２０１２−１３０２８９号公報
【発明の概要】
【発明が解決しようとする課題】
【０００５】
しかし、このような自脱型コンバインでは、手扱作業時において、フィードチェーン
クラッチの接続遮断を制御したり、補助搬送装置を緊急停止させることで、作業者の安全性は図れるものの、例えば、手扱作業でのフィードチェーンの搬送速度は一定であるため、扱胴において、手扱作業でフィードチェーンに投入する穀稈の量が、少量時には稈切れなどが混入し易く、大量時には脱穀ロスを増加させてしまい、また揺動選別盤上の穀粒量が不均一になるという作業性を低下させているという問題があった。
そこで、この発明の目的は、手扱作業の作業性を向上させた自脱型コンバインを提供するものである。
【課題を解決するための手段】
【０００６】
このため、請求項１に記載の発明は、エンジンの動力を、刈取部に伝達または遮断す
る刈取クラッチと、フィードチェーンに伝達または遮断するフィードチェーンクラッチと、脱穀部に伝達または遮断する脱穀クラッチとを車両に備えた自脱型コンバインにおいて、前記車両には、前記フィードチェーンおよび前記脱穀クラッチに連係する手扱用操作部材を設け、手扱作業時には、前記車両の車速を変速制御する変速機構をニュートラルにして、前記刈取クラッチと、前記フィードチェーンクラッチと、前記脱穀クラッチとを遮断するとともに、前記手扱用操作部材を操作すると、前記フィードチェーンを駆動および前記脱穀クラッチを接続することを特徴とする。
【０００７】
請求項２に記載の発明は、請求項１に記載の自脱型コンバインにおいて、前記フィードチェーンは、アクチュエータに接続し、前記手扱用操作部材により前記アクチュエータを制御して、前記フィードチェーンの搬送速度を可変可能としたことを特徴とする。
【０００８】
請求項３に記載の発明は、請求項１または２に記載の自脱型コンバインにおいて、前記手扱用操作部材は、ダイヤル調節式であることを特徴とする。
【０００９】
請求項４に記載の発明は、請求項１または２に記載の自脱型コンバインにおいて、前記手扱用操作部材は、ペダル調節式であることを特徴とする。
【発明の効果】
【００１０】
請求項１に記載の発明によれば、エンジンの動力を、刈取部に伝達または遮断する刈取クラッチと、フィードチェーンに伝達または遮断するフィードチェーンクラッチと、脱穀部に伝達または遮断する脱穀クラッチとを車両に備えた自脱型コンバインにおいて、車両には、フィードチェーンおよび脱穀クラッチに連係する手扱用操作部材を設け、手扱作業時には、車両の車速を変速制御する変速機構をニュートラルにして、刈取クラッチと、フィードチェーンクラッチと、脱穀クラッチとを遮断するとともに、手扱用操作部材を操作すると、フィードチェーンを駆動および脱穀クラッチを接続するので、圃場端部（隅）の穀稈を手作業で刈取り、手扱作業を行う際、車両の走行を停止させるとともに各作業部を停止させていても、作業者は手扱用操作部材を操作することで、機外から容易にフィードチェーンおよび脱穀部を駆動させることができる。従って、手扱作業の操作性を向上させた自脱型コンバインを提供することができる。
【００１１】
請求項２に記載の発明によれば、フィードチェーンは、アクチュエータに接続し、手扱用操作部材によりアクチュエータを制御して、フィードチェーンの搬送速度を可変可能としたので、手扱作業での投入穀稈量に応じて、手扱用操作部材によりフィードチェーンの搬送速度を変更できるため、搬送穀稈のフィードチェーンでの稈切れや詰まりなどの発生を防いで扱胴への受け渡しを効率的に行い、脱穀効率を向上させることができる。従って、手扱作業での作業性および脱穀効率を向上させた自脱型コンバインを提供することができる。
【００１２】
請求項３に記載の発明によれば、手扱用操作部材は、ダイヤル調節式であるので、作業者は、ダイヤルの平面的な回動量によりフィードチェーンの搬送速度を容易かつ正確に変えることができる。従って、手扱作業での操作性に優れ、作業性を向上させた自脱型コンバインを提供することができる。
【００１３】
請求項４に記載の発明によれば、手扱用操作部材は、ペダル調節式であるので、作業者は、ペダルの踏込量によりフィードチェーンの搬送速度を容易かつ正確に変更することができる。また、フィードチェーンの駆動停止や搬送速度および、脱穀部の駆動停止を足のみで操作、調節できるため、両手を穀稈のフィードチェーンによる搬送作業に用いることができる。従って、手扱作業での操作性に優れ、作業性を向上させた自脱型コンバインを提供することができる。
【図面の簡単な説明】
【００１４】
【図１】本発明に係るコンバインの一例を示した右側面図である。
【図２】同コンバインの左側面図である。
【図３】穀稈搬送装置の左側面図である。
【図４】脱穀部および選別部の左側面模式図である。
【図５】コンバインの動力伝達構成を示すスケルトン図である。
【図６】モータを設置したフィードチェーンの斜視図である。
【図７】手扱操作部材（ダイヤル式）の設置例を示すフィードチェーン近傍の拡大図である。
【図８】手扱操作部材と、フィードチェーンクラッチ、脱穀クラッチおよびフィードチェーンモータの連係を示す制御ブロック図である。
【図９】手扱操作部材（ペダル式）の設置例を示す機体前部下方の拡大斜視図である。
【図１０】手扱操作部材（ペダル式）を用いた手扱作業の説明図である。
【図１１】ペダル式手扱操作部材の別の例を示す機体前部下方の拡大斜視図である。
【発明を実施するための形態】
【００１５】
以下、図面を参照しつつ本発明を実施するための最良の形態について説明する。
図１はこの発明の一例としてのコンバインの右側面図、図２は同コンバインの左側面図、図３は穀稈搬送装置の左側面図、図４は脱穀部および選別部の左側面模式図である。
【００１６】
まず、この例のコンバイン１は、図１〜４に示すように、左右一対の機体フレーム２に、左右一対のクローラ式走行装置である走行部３を装設し、これら左右機体フレーム２に機台４が架設される。また、機台４上には、引起機構８、刈刃９、収穫物搬送手段１０などを備える刈取部７や、フィードチェーン１８を機体左側に張架し、扱胴６を内蔵する脱穀装置である脱穀部５、排藁チェーン終端を臨ませる排藁処理部１１、脱穀部５からの籾を、揚穀筒を介して搬入するグレンタンク１２、このグレンタンク１２の籾を機外に搬出する搬送部１６としての排出オーガ１３などが設置される。
【００１７】
さらに、機体前部の機台４上には、キャビン（設置は限定しない）内の操縦部にハンドル１４や運転席１５を備え、この運転席１５下方には、エンジン（原動機）ＥやミッションケースＭなどが設けられており、これら構成によりコンバイン１が連続的に稲などの農作物を刈取って脱穀するように構成されている。
【００１８】
そして、機台３の後部には、グレンタンク１２内の籾を外部へ排出するための排出オーガ１３の縦オーガ１３ａが立設されるとともに、この縦オーガ１３ａの上端部には横オーガ１３ｂが連設されている。この縦オーガ１３ａを中心として、グレンタンク１２が左右回動可能に設けられて、グレンタンク１２の前側を外方に回転させて開放可能に構成されている。また、機台３の後部には、脱穀部５に連続して穀稈搬送装置１７が内設されている。
【００１９】
刈取部７で刈り取られた穀稈は、収穫物搬送手段１０にて後部へ搬送され、収穫物搬送手段１０の上端から株元側が穀稈搬送装置１７のフィードチェーン１８に受け継がれ、扱胴６の供給始端部を介して脱穀部５および選別部１９からなる脱穀装置内に穀稈が搬送される。そして、フィードチェーン１８後端には、排藁搬送チェーン２０が配設され、この排藁搬送チェーン２０後部下方には、カッター，結束機などからなる図示しない排藁処理部が形成され、排藁を切断して藁片にした後、拡散しながら圃場に均一放出し、或いは切断せずに放出するようにしている。
【００２０】
脱穀部５は、コンバイン１の進行方向左側に配置され、脱穀部５の右側には選別後の精粒を貯留するグレンタンク１２が配設されている。そして、グレンタンク１２の前方には運転席１５が配設されている。つまり、運転席１５は、機体の進行方向右前部に配置されている。一方、グレンタンク１２の後方には、排出オーガ１３の縦オーガ１３ａが立設され、この縦オーガ１３ａを中心にして排出オーガ１３およびグレンタンク１２が側方へ回動可能とし、グレンタンク１２を側方へ回動することにより機体内側のメンテナンスを容易にしている。
【００２１】
そして、グレンタンク１２の底部には、図示しない排出コンベアが前後方向に配設され、該排出コンベアの後部が縦オーガ１３ａの下部に連通されるとともに、前記排出コンベア後部から排出オーガ１３に動力が伝達されて、横オーガ１３ｂの先端よりトラックなどに、グレンタンク１２内の穀粒を排出できるようにしている。さらに、脱穀部５の下方には、選別部１９が配設され、脱穀部５から流下する穀粒や藁屑等から穀粒を選別し、精粒をグレンタンク１２に搬送したり、藁屑などを機外に排出するようにしている。
【００２２】
穀稈搬送装置１７は、上述の脱穀部５において、刈り取った穀稈の一端（株元側）を挟扼しながら搬送するためのものであり、刈取部７で刈り取った穀稈を排藁搬送チェーン２０まで搬送するフィードチェーン１８と、フィードチェーン１８上方に配設され、搬送されている穀稈を挟扼する挟扼杆２１と、挟扼杆２１を本機側に対して弾性支持する複数の弾性支持体２２などとから構成されている。
【００２３】
この穀稈搬送装置１７においては、対向配置される挟扼杆２１とフィードチェーン１８とによって、刈取部７で刈り取った穀稈の株元側を挟扼し、扱室３１内の扱胴６によって脱穀する構成となっており、この挟扼杆２１とフィードチェーン１８とが対向した部分を搬送経路としている。そして、脱穀部５にて脱粒された排藁は、フィードチェーン１８の後端部（下流側端部）において、排藁搬送チェーン２０へと受け継がれ、この排藁搬送チェーン２０によって、前記排藁処理部へと搬送される。
【００２４】
挟扼杆２１は、ステー２３などによって固設される支持杆２４と、支持杆２４に複数の弾性支持体２２を介して弾性支持して設けられている。この挟扼杆２１は、フィードチェーン１８に沿うように左右平行状に一対の板状部材が配置された形状となっており、フィードチェーン１８による搬送方向断面視逆Ｕ字状に形成されている。
【００２５】
支持杆２４は、中空の柱状部材であり、図示しない扱室カバー内の左側において前後方向に長く、挟扼杆２１と並列的に配置されるように形成されている。そして、この支持杆２４の側面には、一定間隔ごとに弾性支持体２２が、その上部が支持されるとともに配設され、これら弾性支持体２２の下部に挟扼杆２１が弾性支持されている。この弾性支持体２２の下部は、挟扼杆２１に連結ピンで枢支されており、弾性支持体２２の上部は支持杆２４よりも上方に延出されている。
【００２６】
次に、脱穀部５について説明する。図４に示したように、脱穀部５に形成された扱室３１には、機体の前後方向に軸架された略円柱形状の扱胴６が設けられ、この扱胴６の外周面には複数の扱歯３２が植設されている。そして、扱胴６の下部周辺を覆うように半円形状の受網３３が着脱可能に周設されている。
【００２７】
一方、フィードチェーン１８により、穀桿の株元側が拘束されつつ、穀桿の先端側が扱胴６の下方に挿入されて穀稈が機体後方に搬送される。このとき、扱胴６の回転により脱粒が行われ、受網３３から穀粒や藁屑等が漏下するようにしている。
【００２８】
続いて、選別部１９について説明する。選別部１９は、揺動選別装置４１による揺動選別と唐箕４２による風選別とが行われ、一番物と二番物と藁屑等に分別される。
【００２９】
揺動選別装置４１は、機枠４３内に収納される。揺動選別装置４１の前端部は、扱胴６の前端部の下方まで延出され、揺動選別装置４１前下部には図示せぬ揺動軸が設けられるとともに、後部には後述の揺動駆動機構４４が設けられ、この揺動駆動機構４４によって揺動選別装置４１が機枠４３に対して揺動するように構成されている。なお、揺動駆動機構４４の後下方には燃料タンク（不図示）が配置されている。
【００３０】
揺動選別装置４１の前部には、流穀板４５が設けられるとともに、この流穀板４５の後下方に搬送板４６が設けられる。これら流穀板４５および搬送板４６は、板状の部材を波形に成形したものであり、受網３３を通過した処理物（穀粒および藁屑等との混合物）は、流穀板４５および搬送板４６上に落下し、揺動選別装置４１の揺動により機体後方に搬送される。
【００３１】
そして、搬送板４６後部には、第二選別部である網状のグレンシーブ（篩分装置）４７が連設されるとともに、このグレンシーブ４７と搬送板４６の上方、かつ流穀板４５の後方には、第一選別部であるチャフシーブ４８が被装されている。さらに、チャフシーブ４８の後方には、ストローラック４９が配設される。
【００３２】
チャフシーブ４８は、複数のチャフフィンから構成され、投入される処理物の量に応じてチャフフィンの開度を調節することを可能としている。すなわち、チャフフィンの上下一側端部が揺動選別装置４１に枢支されて、チャフシーブ４８左右両側に設けられた揺動板に枢結され、また、他側端部がチャフシーブ４８の左右両側に設けられた不図示の摺動板に枢結されている。
【００３３】
上記摺動板は、揺動選別装置４１と一体的に揺動されるとともに、この摺動板には図示しない調節レバーが枢結されており、該調節レバーに連結された図示しないワイヤの弛緩又は牽引により、この摺動板が前後に摺動される。なお、前記調節レバーは、上述のワイヤと反対側に設けられた図示しないバネによって各チャフフィンの傾斜角を小（寝かせる）とする方向に付勢されている。
【００３４】
そして、前記摺動板の摺動によりチャフフィンの角度が変更され、このチャフフィンの傾斜角を大（立てる）とさせるとき、チャフシーブ４８の開度を大として穀粒の漏下量を増大させ、各チャフフィンの傾斜角を小（寝かせる）とさせるときチャフシーブ４８の開度を小として穀粒の漏下量を減少させるように構成している。
【００３５】
こうして、穀粒および細かい藁屑は、チャフシーブ４８を通過して下方に落下し、チャフシーブ４８の開口よりも大きい藁屑などは後方に搬送される。このとき、チャフシーブ４８とグレンシーブ４７との間には、唐箕４２により選別部１９の前方から後方への気流が発生しており、細かい藁屑の一部は後方に吹き飛ばされて穀粒と分離される。
【００３６】
揺動選別装置１９における前流穀板４５の後部下方かつ後流穀板４６の前部下方には上述した唐箕４２が配置され、チャフシーブ４８やグレンシーブ４７に選別風を送風するようにしている。
【００３７】
そして、揺動選別装置４１の後端部近傍には、吸引ファン５０が全幅に横設され、唐箕４２から供給される選別風の流れに乗ってきた塵埃や脱穀時に発生する塵埃などを、吸引ファン５０により吸引して機外へと排出するようにしている。
【００３８】
選別部１９内に投入され、前流穀板４５上に漏下された穀粒、枝梗付着粒、未熟穀粒および細かい藁屑などの混合物は、チャフシーブ４８上に漏下される過程において、唐箕４２により発生する選別部１９の前方から後方への気流により、細かい藁屑の一部が後方へ吹き飛ばされる。
【００３９】
そして、チャフシーブ４８上に漏下した穀粒、枝梗付着粒、未熟穀粒および細かい藁屑などの混合物は、揺動選別装置４１の揺動により、後方に搬送される、このとき、これら穀粒、未熟穀粒、枝梗付着粒および細かい藁屑などは、チャフシーブ４８の開口部より下方に落下し、大きい藁屑はチャフシーブ４８の後方まで搬送され、ストローラック４９を経て機外に排出される。
【００４０】
また、チャフシーブ４８の開口部より下方に落下した穀粒、未熟穀粒、枝梗付着粒および細かい藁屑などは、後流穀板４６およびグレンシーブ４７上に漏下される。このときも唐箕４２からの選別風により、細かい藁屑の一部は後方に吹き飛ばされて分離される。
【００４１】
さらに、グレンシーブ４７上に漏下された穀粒、未熟穀粒、枝梗付着粒および細かい藁屑などのうち、穀粒、未熟穀粒、細かい藁屑などは、グレンシーブ４７を通過して下方に落下する。このとき、重量が大きい穀粒（一番）は一番回収部５１に回収され、それぞれ図示しない一番コンベアから揚穀コンベアを経て、グレンタンク１２に搬送される。
【００４２】
一方、重量が小さい未熟穀粒や細かい藁屑の一部や穂切り粒や穀粒などが混じった未処理粒は、唐箕４２からの選別風により後方に吹き飛ばされ、二番回収部５２に回収され、それぞれ図示しない二番コンベアから二番還元コンベアを経て、前流穀板４５上（またはチャフシーブ４８上）に再投入される。
【００４３】
次に、本願発明の手扱操作部材について、コンバインの動力伝達機構を用いながらその詳細を説明する。図５はコンバインの動力伝達構成を示すスケルトン図である。
【００４４】
エンジンＥのクランク軸６１前端を出力軸６２として、該出力軸６２には自在継手付きドライブシャフト６３の後端が固設されている。そして、該自在継手付きドライブシャフト６３の前端には、入力軸６４が連結され、該入力軸６４は、ミッションケースＭ上部に付設された入力ケース６５より突出されている。
【００４５】
入力ケース６５の左側面には、ＨＳＴケース６６が設けられ、このＨＳＴケース６６内には、前方から順に旋回用ＨＳＴ６７、車両の車速を変速制御する変速機構（図示しないが、操縦部に設置された変速レバーなど）に連携した直進用ＨＳＴ６８が配設され、この直進用ＨＳＴ６８からは、直進用ＨＳＴ６８の出力軸である直進モータ軸６９に連結した直進駆動軸７０が、左側方に突設されており、入力軸６４に伝達された回転力を、直進用ＨＳＴ６８内で正逆の回転方向と回転数増減の制御を行った後、ミッションケースＭ内に伝達する一方、直進駆動軸７０からも出力できる構成とされる。
【００４６】
また、エンジンＥの左側方には、各処理系へ適正速度を分配可能なカウンターケース７１が配設され、このカウンターケース７１からは、入力軸７２・７３や出力軸７４〜７７が突設される。このうち、車速同調の入力軸７２には、車速同調用入力プーリ７８が固設され、この車速同調用入力プーリ７８は、ベルト７９を介して、直進駆動軸７０上の直進駆動プーリ８０に連結されて、直進用ＨＳＴ６８からの走行回転を、カウンターケース７１内に伝達することができる。
【００４７】
入力軸７３には、入力プーリ８１が固設され、この入力プーリ８１には、クランク軸６１後端に形成した出力軸８２上のプーリ８３がベルト８４を介して連結されるとともに、このベルト８４には周知の脱穀クラッチ８５が設けられる。出力軸８２上にはプーリ８６も固設され、このプーリ８６は、ベルト８７を介して、グレンタンク１２下部に軸装された下部コンベア８８のコンベア軸８８ａに連結連動されるとともに、ベルト８７には穀粒排出クラッチ８９を設けており、この穀粒排出クラッチ８９の入切で、穀粒排出操作を行える構成とされる。
【００４８】
脱穀出力軸７４は、出力プーリ９０、ベルト９１、プーリ９２〜９４、変速ギア９５〜９７を介して、扱胴軸６ａに連結されており、このうちのベルト９３に当接させた脱穀クラッチ８５の図示しないテンションプーリにより、脱穀出力軸７４から扱胴６への動力を断接可能とされる。
【００４９】
刈取出力軸７５には、出力プーリ９８が固設され、この出力プーリ９８は、回動支点部９９に設けた中間伝達機構１００を介して、刈取入力軸１０１に連結連動されており、この刈取入力軸１０１から刈取部７に動力を入力することができる。
【００５０】
この中間伝達機構１００には、図示しないテンションプーリからなる周知の刈取クラッチ１０２が配置されており、刈取出力軸７５から刈取入力軸１０１への動力を断接可能としている。
【００５１】
また、出力軸７６には、出力プーリ１０３が固設され、この出力プーリ１０３には、ベルト１０４を介してプーリ１０５・１０６が連結され、このうちのプーリ１０５は、揺動選別装置４１に風選別のための風を送る唐箕４２の唐箕軸４２ａ上に固設され、プーリ１０６は、揺動選別装置４１で選別した穀粒をグレンタンク１２に送る一番コンベア１０７のコンベア軸１０７ａに固設されており、選別出力軸７６から揺動選別装置４１各部へ動力を出力できるようにしている。フィードチェーン１８の出力軸７７には、フィードチェーン１８に連動可能に連結される。
【００５２】
カウンターケース７１内の出力軸７７上には、図示しない摺動クラッチ爪やクラッチギアなどからなる周知のフィードチェーンクラッチ１０８が設置されており、これら摺動クラッチ爪とクラッチギアの噛合歯の係合状態により出力軸７７からフィードチェーン１８への動力を断接可能としている。
【００５３】
後述の図８に示すように、上述した刈取クラッチ１０２、フィードチェーンクラッチ１０８、脱穀クラッチ８５は、機体に設置されたコントローラＣに接続されるとともに、キャビン内などにはこれら各クラッチ１０２，１０８，８５を接断可能とするコントローラＣに接続した刈取クラッチ操作部材１０２ａ，フィードチェーンクラッチ操作部材１０８ａ，脱穀クラッチ操作部材８５ａが設置されている。
【００５４】
なお、前記クラッチ操作部材１０２ａ，１０８ａ，８５ａは、各クラッチ１０２，１０８，８５ごとに３個設置してもよいが、１個のクラッチ操作部材で各クラッチ１０２，１０８，８５を接断可能な構成にしてもよい。
【００５５】
次に、フィードチェーン１８にはアクチュエータが設置される。図６はモータを設置したフィードチェーンの斜視図である。この場合、図６（説明の便宜上、脱穀部カバー１１０を取外した状態で図示）に例示するように、例えば駆動スプロケット１０９の外側部などには、フィードチェーン１８を駆動させる電動モータＡ（アクチュエータ）が駆動スプロケット１０９の軸芯に接続される。なお、図示しないが、電動モータＡのモータ軸と、駆動スプロケット１０９の軸芯とは、図示しない周知の機械式のクラッチを介在させる。また、電動モータＡの設置は上述の位置に限定されない。
【００５６】
次に、本願発明では、機体外部からフィードチェーン１８および脱穀部５の駆動を操作可能とする手扱用操作部材が設置される。図７は手扱操作部材（ダイヤル式）の設置例を示すフィードチェーン近傍の拡大図、図８は手扱操作部材と、フィードチェーンクラッチ、脱穀クラッチおよびフィードチェーンモータの連係を示す制御ブロック図である。
【００５７】
この場合、図７に例示するように、フィードチェーン１８が設置される機体側面部（図例では左側面部）であって、フィードチェーン１８前方近傍の脱穀部カバー１１０には、ダイヤル式の手扱用操作部材１１１が設置される。
【００５８】
この手扱用操作部材１１１は、例えばダイヤルに設置された図示しない検出器（例えばポテンショメータなど）が、上述した電動モータＡにコントローラＣを介して接続されており、例えばフィードチェーン１８の停止（目盛位置、標記は限定しない）から脱穀駆動（目盛位置、標記は限定しない）までの間を、停止から順に例えば低、中、高（目盛位置、標記は限定しない）など３段階の位置を経て回動させるダイヤルスイッチであって、その間のダイヤル回動量に応じて電動モータＡを制御し、フィードチェーン１８の搬送速度を低速から高速まで可変できる構成とされる。
【００５９】
なお、停止から低、中、高、脱穀駆動までの位置をノッチ式（限定しない）にすることで、所望の位置にダイヤルを固定させて不意な回動を防ぎ、より確実なダイヤル操作を行うような構成にしてもよい。
【００６０】
ここで、コンバイン１による手扱作業を行う場合の操作方法を、図８などを用いなが
ら説明する。コンバイン１による圃場内の穀稈刈取作業中、コンバイン１の位置が畦際に差し掛かった場合、まず作業者は、操縦部において、車両の車速を変速制御する変速機構をニュートラルにして車両の走行を停止する。
【００６１】
次いで、作業者は、操縦部に有する刈取クラッチ操作部材１０２ａ，フィードチェーンクラッチ操作部材１０８ａ，脱穀クラッチ操作部材８５ａを操作して、刈取クラッチ１０２、フィードチェーンクラッチ１０８、脱穀クラッチ８５を遮断することで、エンジンＥ動力の、刈取部７、フィードチェーン１８および脱穀部５への伝達を遮断し、刈取部７、フィードチェーン１８および脱穀部５の駆動を停止させる。なお、この時点では、エンジンＥは駆動状態にある。
【００６２】
次に、作業者は操縦部から降りて、畦際に植立する穀稈を手作業で刈取り、これら刈取った穀稈を、例えば車両のフィードチェーン１８近傍に一時的に並置などする。そして、作業者は、手扱用操作部材１１１を操作して、フィードチェーン１８を駆動させる。
【００６３】
このとき、手扱用操作部材１１１のダイヤルを、停止位置から低位置などに回動させた場合、コントローラＣは、刈取クラッチ１０２、フィードチェーンクラッチ１０８、脱穀クラッチ８５が遮断されていることを確認後、電動モータＡのクラッチを作動させ、電動モータＡのモータ軸と、駆動スプロケット１０９の軸芯とを接続し、電動モータＡを駆動させて、この電動モータＡの駆動力によりフィードチェーン１８を低速で回転駆動させる。
【００６４】
次いで、作業者は、刈取穀稈を手作業でフィードチェーン１８に挟入して搬送させながら手扱用操作部材１１１のダイヤルを脱穀駆動位置に回動させることで、脱穀クラッチ８５を接続し、エンジンＥの動力を脱穀部５に伝達して扱胴６を駆動させ、脱穀処理を行わせる。
【００６５】
このとき、手作業でフィードチェーン１８に投入する穀稈量が少ない場合には、フィードチェーン１８の搬送速度を、上述した手扱用操作部材１１１のダイヤルを低位置とした遅い速度にすることで、少量の穀稈を低速度で搬送できるため、穀稈がフィードチェーン１８で稈切れなどを起こすことなく、穀稈を確実に扱胴６へ受け渡して脱穀させることができる。
【００６６】
また、フィードチェーン１８に手作業で投入する穀稈量が多い場合には、上述のようにフィードチェーン１８の搬送速度が遅いと、フィードチェーン１８で搬送穀稈が詰まったり、扱胴６への受け渡しが効率的にできず、脱穀ロスを生じてしまう。
【００６７】
このため、投入穀稈量が多い場合には、手扱用操作部材１１１のダイヤルを、投入穀稈量に応じて最初から中位置または高位置にすることで、フィードチェーン１８により穀稈を円滑に搬送させながら、手扱用操作部材１１１のダイヤルを脱穀駆動位置に回動し、扱胴６などの脱穀部５を駆動させ、確実に脱穀させることで脱穀効率を上げることができる。
【００６８】
そして、手扱作業を終えた際には、作業者は、手扱用操作部材１１１のダイヤルを停止位置に戻すことで、コントローラＣは、脱穀クラッチ８５を遮断して脱穀部５の駆動を停止させるとともに、電動モータＡを停止してフィードチェーン１８の駆動を停止させる。さらには電動モータＡのクラッチを遮断して、電動モータＡのモータ軸と、駆動スプロケット１０９の軸芯とを離間させ、手扱作業を終了する。
【００６９】
このような構成により、圃場端部（隅）の穀稈を手作業で刈取り、手扱作業を行う際、車両の走行を停止させるとともに各作業部を停止させていても、作業者は手扱用操作部材１１１を操作することで、機外から容易にフィードチェーン１８および脱穀部５を駆動させることができる。
【００７０】
また、搬送穀稈のフィードチェーン１８での稈切れや詰まりなどの発生を防いで扱胴５への受け渡しを効率的に行い、脱穀効率を向上させることができる。さらには、手扱用操作部材１１１は、ダイヤル調節式であるので、作業者は、ダイヤルの平面的な回動量によりフィードチェーン１８の搬送速度を容易かつ正確に変えることができる。
【００７１】
なお、この手扱用操作部材１１１は、以下のような構成にすることもできる。図９は
手扱操作部材（ペダル式）の設置例を示す機体前部下方の拡大斜視図、図１０は手扱操作部材（ペダル式）を用いた手扱作業の説明図である。
【００７２】
この場合、図９に示すように、例えば、フィードチェーン１８設置側の刈取部７側面板（機体左側面部）の下部には、接地しない位置に足踏用ぺダル式の手扱用操作部材１１１´が設置される。そして、例えばこの手扱用操作部材１１１´を構成する後述の足踏板１１２に設置された図示しない検出器（例えばポテンショメータなど）が、上述同様、電動モータＡのクラッチを含む電動モータＡにコントローラＣを介して接続されている。なお、コントローラＣには、前記電動モータＡ以外にも上述同様に刈取クラッチ１０２、フィードチェーンクラッチ１０８、脱穀クラッチ８５が接続されている。
【００７３】
また、この手扱用操作部材１１１´は、例えば、基軸を介して設けられた足踏板１１２および基板１１３とからなり、両者間に弾性部材１１４を介在させて足踏板１１２のみ基軸を介して回動可能とし、足踏板１１２を踏まないか、または踏んだ足を離すと、弾性部材１１４の付勢により、足踏板１１２が上昇して定位置を維持する構成とした周知のペダルである。
【００７４】
この足踏板１１２は、上昇した定位置（踏まないか、または足を離した）でのフィードチェーン１８停止位置から、踏込まれて基板１１３に接触した状態での脱穀クラッチ８５接続位置までの間を、足踏板１１２の踏込量に応じて電動モータＡを制御し、フィードチェーン１８の搬送速度を低速から高速まで可変できる構成とされる。つまり、足踏板１１２の踏込量が多いほど電動モータＡの回転速度を上げることで、フィードチェーン１８の搬送速度を上昇させる。
【００７５】
ここで、上述同様に手扱作業を行う場合、まず作業者は、操縦部において、車両の車
速を変速制御する変速機構をニュートラルにして車両の走行を停止し、作業者は、操縦部に有する刈取クラッチ操作部材１０２ａ，フィードチェーンクラッチ操作部材１０８ａ，脱穀クラッチ操作部材８５ａを操作して、刈取クラッチ１０２、フィードチェーンクラッチ１０８、脱穀クラッチ８５を遮断することで、エンジンＥ動力の、刈取部７、フィードチェーン１８および脱穀部５への伝達を遮断し、刈取部７、フィードチェーン１８および脱穀部５の駆動を停止させる。
【００７６】
次に、作業者は操縦部から降りて、手作業で刈取った穀稈を、例えば車両のフィードチェーン１８近傍に一時的に並置などする。そして、作業者は、手扱用操作部材１１１´を操作して、フィードチェーン１８を駆動させる。
【００７７】
このとき、手扱用操作部材１１１´の足踏板１１２を少し踏んだ場合、コントローラＣは、刈取クラッチ１０２、フィードチェーンクラッチ１０８、脱穀クラッチ８５が遮断されていることを確認後、電動モータＡのクラッチを作動させ、電動モータＡのモータ軸と、駆動スプロケット１０９の軸芯とを接続し、電動モータＡを駆動させて、この電動モータＡの駆動力によりフィードチェーン１８を低速で回転駆動させる。
【００７８】
次いで、作業者は、図１０に示すように、刈取穀稈を手作業でフィードチェーン１８に挟入して搬送させながら、手扱用操作部材１１１´の足踏板１１２が基板１１３に接触するまで足踏板１１２を踏み込むことで脱穀クラッチ８５を接続し、エンジンＥの動力を脱穀部５に伝達して扱胴６を駆動させて脱穀処理を行わせる。
【００７９】
このとき、手作業でフィードチェーン１８に投入する穀稈量が少ない場合には、フィードチェーン１８の搬送速度を、上述した手扱用操作部材１１１´の足踏板１１２を最初から少なく踏んだ遅い速度にすることで、少量の穀稈を低速度で搬送できるため、穀稈がフィードチェーン１８で稈切れなどを起こすことなく、穀稈を確実に扱胴６へ受け渡して脱穀させることができる。
【００８０】
また、投入穀稈量が多い場合には、フィードチェーン１８の搬送速度を、上述した手扱用操作部材１１１´の足踏板１１２を最初から穀稈量に応じて多く踏んだ速い速度にすることで、フィードチェーン１８により穀稈を円滑に搬送させながら、手扱用操作部材１１１´の足踏板１１２を基板１１３に接触する脱穀駆動位置まで踏み込み、扱胴６などの脱穀部５を駆動させ、確実に脱穀させることで脱穀効率を上げることができる。
【００８１】
このような構成にすることで、作業者は、足踏板１１２の踏込量によりフィードチェーン１８の搬送速度を容易かつ正確に変更することができる。また、フィードチェーン１８の駆動停止や搬送速度および、脱穀部５の駆動停止を足のみで操作、調節できるため、両手を穀稈のフィードチェーン１８による搬送作業に用いることができる。
【００８２】
なお、手扱用操作部材は、図１１に示すような構成にしてもよい。この場合の手扱用操作部材１１１´´は、フィードチェーン１８設置側の刈取部７側面板（機体左側面部）の下部に、上述したような検出器（例えばポテンショメータなど）を備えるダイヤル部１１４を設置し、このダイヤル部１１４に、足踏用のレバー部１１５を取付けることで、手扱作業時に作業者がレバー部１１５を足で操作し、ダイヤル部１１４を回転させ、上述同様にフィードチェーン１８の駆動停止や搬送速度および、脱穀部５の駆動停止を足のみで操作、調節する構成にしてもよい。
【００８３】
以上詳述したように、この例のコンバイン１は、エンジンＥの動力を、刈取部７に伝
達または遮断する刈取クラッチ１０２と、フィードチェーン１８に伝達または遮断するフィードチェーンクラッチ１０８と、脱穀部５に伝達または遮断する脱穀クラッチ８５とを車両に備え、車両には、フィードチェーン１８および脱穀クラッチ８５に連係する手扱用操作部材１１１を設け、手扱作業時には、車両の車速を変速制御する変速機構をニュートラルにして、刈取クラッチ１０２と、フィードチェーンクラッチ１０８と、脱穀クラッチ８５とを遮断するとともに、手扱用操作部材１１１を操作すると、フィードチェーン１８を駆動および脱穀クラッチ８５を接続するものである。
【産業上の利用可能性】
【００８４】
なお、この発明は、フィードチェーンおよび脱穀部を備え、手扱作業を必要とする  あらゆる自脱型コンバインに適用することができる。
【符号の説明】
【００８５】
５    脱穀部
７    刈取部
１７    穀稈搬送装置
１８    フィードチェーン
８５    脱穀クラッチ
１０２    刈取クラッチ
１０８    フィードチェーンクラッチ
１０９    駆動スプロケット
１１１，１１１´，１１１´´    手扱用操作部材
１１２    足踏板
１１３    基板
１１４    ダイヤル部
１１５    レバー部
Ａ    電動モータ
Ｃ    コントローラ
【図１】
2014090679.tif 000003
【図２】
2014090679.tif 000004
【図３】
2014090679.tif 000005
【図４】
2014090679.tif 000006
【図５】
2014090679.tif 000007
【図６】
2014090679.tif 000008
【図７】
2014090679.tif 000009
【図８】
2014090679.tif 000010
【図９】
2014090679.tif 000011
【図１０】
2014090679.tif 000012
【図１１】
2014090679.tif 000013